(57)【要約】【課題】  本発明は、コンテンツに関する属性情報をユーザに対して確実に供給し、その属性情報を基に当該コンテンツを確実に取得させるようにする。【解決手段】  本発明は、コンテンツに関する属性情報Ｚ１が所定パターンの２次元コードＫＤとして印字された紙媒体５から２次元コードＫＤを読み取ることにより属性情報Ｚ１を取得し、当該取得した属性情報Ｚ１をコンテンツの紹介情報として記憶することにより、紙媒体５に印された２次元コードＫＤを読み取って属性情報Ｚ１を取得し、その属性情報Ｚ１をコンテンツＣ１の紹介情報として記憶することができるので、属性情報Ｚ１を基にコンテンツＣ１に関する詳細をユーザに認識させることができると共に、その属性情報Ｚ１に基づいて当該コンテンツＣ１を確実に取得させることができる。【選択図】        図１
2007034696.tif 000002
【特許請求の範囲】
【請求項１】
コンテンツに関する属性情報が所定パターンの２次元コードとして印された媒体と、
上記媒体に印された上記２次元コードを読み取ることにより上記属性情報を取得する読取手段と、
上記読取手段により取得された上記属性情報を上記コンテンツの紹介情報として記憶する記憶手段と
を具えることを特徴とする情報処理装置。
【請求項２】
上記属性情報には、上記コンテンツを試聴するためのサーバアドレスが含まれている
ことを特徴とする請求項１に記載の情報処理装置。
【請求項３】
上記属性情報には、上記コンテンツを試聴する際の試聴可能範囲情報が含まれており、その試聴可能範囲情報により制限される範囲内でのみ試聴を許可する
ことを特徴とする請求項１に記載の情報処置装置。
【請求項４】
コンテンツに関する属性情報が所定パターンの２次元コードとして印された媒体から上記２次元コードを読み取ることにより上記属性情報を取得する読取ステップと、
上記読取ステップで取得された上記属性情報を上記コンテンツの紹介情報として記憶手段に記憶する記憶ステップと
を具えることを特徴とする情報処理装置の属性情報取得方法。
【請求項５】
情報処理装置に対して、
コンテンツに関する属性情報が所定パターンの２次元コードとして印された媒体から上記２次元コードを読み取ることにより上記属性情報を取得する読取ステップと、
上記読取ステップで取得された上記属性情報を上記コンテンツの紹介情報として記憶手段に記憶する記憶ステップと
を実行させることを特徴とする属性情報取得プログラム。
【発明の詳細な説明】
【技術分野】
【０００１】
本発明は、情報処置装置、情報処理装置の属性情報取得方法及び属性情報取得プログラムに関し、例えばコンテンツを紹介するための属性情報を広くユーザに知らしめるコンテンツ紹介情報配信システムに適用して好適なものである。
【背景技術】
【０００２】
従来、音楽等のコンテンツとしてはディジタル化が進み、ユーザはコンテンツに関する楽曲名、アーティスト名、発売日等の属性情報をネットワーク上で閲覧し、当該コンテンツの一部を試聴することができるようになっている。また従来からテレビの広告では、コンテンツの内容を一部紹介することができるようになっている。
【０００３】
その一方、ユーザの端末からの配信要求に応じてサーバがデジタルコンテンツを即座に配送するようになされたデジタルコンテンツ配送システムがある（例えば、特許文献１参照）。
【特許文献１】特開2004-265397公報
【発明の開示】
【発明が解決しようとする課題】
【０００４】
ところでかかる構成のデジタルコンテンツ配送システムにおいては、デジタルコンテンツの配信要求を行うユーザの端末に対して当該デジタルコンテンツを配送することはできるが、サーバがどのようなデジタルコンテンツを保持しているのかをユーザが知っていることが前提であり、それを知らないユーザにとってはデジタルコンテンツの存在を知り得ず配信要求を行うことができなかった。
【０００５】
また、現在ではネットワーク上でコンテンツに関する属性情報を閲覧することができるものの、どのようなコンテンツが何処に行けば購入できるのかという情報については、テレビや雑誌の広告等の従来メディアを利用したものが殆どであり、ユーザにとっては企業の提供する一部の情報を入手するに過ぎないのが実情である。
【０００６】
またテレビの広告ではコンテンツの一部を紹介することはできるが、放送という告知形態であるために、ユーザの手元にコンテンツの属性情報を確実に残すことはできず、雑誌等の広告形態では紙面上での文章表現が限界であるためコンテンツの内容を十分に伝達し難いという問題があった。
【０００７】
本発明は以上の点を考慮してなされたもので、コンテンツに関する属性情報をユーザに対して確実に供給し、その属性情報を基に当該コンテンツを確実に取得させ得る情報処理装置、情報処理装置の属性情報取得方法及び属性情報取得プログラムを提案しようとするものである。
【課題を解決するための手段】
【０００８】
かかる課題を解決するため本発明においては、コンテンツに関する属性情報が所定パターンの２次元コードとして印された媒体から２次元コードを読み取ることにより属性情報を取得し、当該取得した属性情報をコンテンツの紹介情報として記憶するようにする。
【０００９】
これにより媒体に印された２次元コードを読み取って属性情報を取得し、その属性情報をコンテンツの紹介情報として記憶することができるので、属性情報を基にコンテンツに関する詳細をユーザに認識させることができると共に、その属性情報に基づいて当該コンテンツを確実に取得させることができる。
【発明の効果】
【００１０】
本発明によれば、媒体に印された２次元コードを読み取って属性情報を取得し、その属性情報をコンテンツの紹介情報として記憶することができるので、属性情報を基にコンテンツに関する詳細をユーザに認識させることができると共に、その属性情報に基づいて当該コンテンツを確実に取得させることができ、かくしてコンテンツに関する属性情報をユーザに対して確実に供給し、その属性情報を基に当該コンテンツを確実に取得させ得る情報処理装置、情報処理装置の属性情報取得方法及び属性情報取得プログラムを実現することができる。
【発明を実施するための最良の形態】
【００１１】
以下、図面について、本発明の一実施の形態を詳述する。
【００１２】
（１）コンテンツ紹介情報配信システムの全体構成
図１において、１は全体としてコンテンツ紹介情報取得システム１を示し、レコード会社２のサーバ３、ユーザが所持するクライアント端末８、当該クライアント端末８がインターネット上の情報にアクセスするための無線ＬＡＮ(Local Area Network)アクセスポイント４、所定パターンでなる２次元コードＫＤが印字された新聞又は雑誌等の紙媒体５によって構成される。
【００１３】
レコード会社２のサーバ３は、既に音楽のオンライン販売等によって用いられているものと同じ楽曲のコンテンツＣ１、当該コンテンツＣ１の一部を使って試聴用に生成された試聴用コンテンツＣ１Ａ及び当該コンテンツＣ１に関する属性情報Ｚ１を保持しており、それ以外にもコンテンツＣｎ（図示せず）、試聴用コンテンツＣｎＡ及びその属性情報Ｚｎを保持している。
【００１４】
この属性情報Ｚ１等は、本システムにおいて利用するために新たに作成されたものであり、その内容については後述する。
【００１５】
紙媒体５には、レコード会社２のサーバ３が保持するものと同じ属性情報Ｚ１を基に生成された情報画面Ｇ１が２次元コードＫＤとして印字されている。この２次元コードＫＤは、それだけでは何を意味するものかは外観上判別し得ないものである。
【００１６】
クライアント端末８は、本システム向けに開発された属性情報取得プログラム等のアプリケーションプログラムに従って稼動する例えばノートブック型パーソナルコンピュータでなり、コンテンツＣ１の再生が可能で、当該コンテンツＣ１を保存するためのハードディスク又はフラッシュメモリ等の記憶媒体を有し、かつ各種情報を表示するＬＣＤ(Liquid Crystal Display)８Ａが設けられている。
【００１７】
このクライアント端末８は、紙媒体５の２次元コードＫＤを読み取るためのカメラ部（図示せず）を有し、当該カメラ部によって２次元コードＫＤを撮像し、その撮像結果を解析し復号することにより情報画面Ｇ１を復元し、ＬＣＤ８Ａに表示するようになされている。
【００１８】
この情報画面Ｇ１においては、レコード会社２のサーバ３が所持するものと同一の属性情報Ｚ１とそれに関する任意のコメントＭ１及び任意の画像Ｖ１が１枚にまとめられている。但し、属性情報Ｚ１については一切改変されていない。
【００１９】
任意のコメントＭ１は、主に属性情報Ｚ１の紹介文であり、１曲毎にコメントが用意されている。なお、コメントＭ１の情報画面Ｇ１中の配置については任意に決定される。
【００２０】
任意の画像Ｖ１は、情報画面Ｇ１のタイトルロゴ「Ｎｅｗ  Ｒｅｌｅａｓｅ」であったり、選択した属性情報Ｚｎに関するコンテンツをイメージさせる写真やアルバムジャケット、もしくは所定時間のサンプル動画であり、画像Ｖ１の数や位置についても任意に決定される。
【００２１】
（２）ハードウェア構成
（２−１）レコード会社におけるサーバ３の回路構成
図２に示すようにレコード会社２のサーバ３は、全体を統括制御するＣＰＵ(Central Processing Unit)２１を有し、当該ＣＰＵ２１に対しバス２７を介してＲＯＭ(Read Only Memory)２２、ＲＡＭ(Random Access Memory)２３及びハードディスクドライブ２４が接続され、当該ハードディスクドライブ２４から読み出してＲＡＭ２３上に展開した基本プログラム及び属性情報取得プログラム等の各種アプリケーションプログラムに従って各種処理を実行する。
【００２２】
またサーバ３は、ネットワークインタフェース２５を介して無線ＬＡＮアクセスポイント４に接続されると共に、ネットワークインタフェース２６を介してインターネット等の外部ネットワークに接続されている。従ってサーバ３は、無線ＬＡＮアクセスポイント４を介してクライアント端末８との間でデータのやりとりを実行し得るようになされている。
【００２３】
（２−２）クライアント端末の回路構成
図３に示すようにクライアント端末８は、全体を統括制御するＣＰＵ４１を有し、当該ＣＰＵ４１に対しバス４６を介してＲＯＭ４２、ＲＡＭ４３、ハードディスクドライブ４４、ＬＣＤ８Ａ及びＣＣＤ(Charge Coupled Device)カメラ４７が接続され、当該ハードディスクドライブ４４から読み出してＲＡＭ４３上に展開した基本プログラム及び属性情報取得プログラム等の各種アプリケーションプログラムに従って各種処理を実行し、その実行結果をＬＣＤ８Ａに表示する。
【００２４】
またクライアント端末８は、無線ＬＡＮカード等の無線通信インタフェース４５を介してレコード会社２と接続された無線ＬＡＮアクセスポイント４と無線接続することにより、レコード会社２のサーバ３との間でデータのやりとりを実行し得るようになされている。
【００２５】
さらにクライアント端末８は、ＣＣＤカメラ４７によって紙媒体５に印字された２次元コードＫＤを撮像し、その撮像結果を解析することにより２次元コード化された元の情報画面Ｇ１を復元し、その情報画面Ｇ１をＬＣＤ８Ａに表示するようになされている。
【００２６】
（３）レコード会社が提供する属性情報の構成要素
次に、レコード会社２のサーバ３が本システム向けに新たに作成した属性情報Ｚｎについて例えば属性情報Ｚ１を例に挙げてその具体的な構成要素について説明する。
【００２７】
図４に示すように、属性情報Ｚ１は、楽曲１曲について、その楽曲に関する種々の情報をまとめ、さらに暗号化を施して他者が勝手に改変できないようにしたものであり、当該楽曲に関する種々の情報としては主にレコード会社などその楽曲の提供者が入力する以下のような項目がある。
【００２８】
属性情報Ｚ１には、クライアント端末８のＬＣＤ８Ａ上に表示される構成要素として、楽曲のタイトルを表した曲名「ＸＸＸＸ」、その楽曲の演奏者を表したアーティスト名「ＹＹＹ」、その楽曲が収められているアルバム名「ＺＺＺＺ」及びその楽曲又はアルバムが発売される日付を表した発売日「2005/02/18」等がある。
【００２９】
特に、この発売日に関する情報は、例えばアルバムの発売日の前に属性情報Ｚ１をユーザが取得したときに、クライアント端末８がスケジュール機能を有している場合に、そのスケジュール機能と連動させて発売日にお知らせ情報を表示する目的に使用することが可能となる。
【００３０】
また属性情報Ｚ１には、本システムが機能するためにクライアント端末８が内部的に利用するための構成要素があり、ユーザにとっては特別な操作をしない限り見ることができない、またはどのような操作をしても見ることができないというものである。
【００３１】
具体的には、試聴用アドレス、コンテンツＣ１に対する試聴可能範囲、コンテンツＣ１に関する著作権情報、属性情報Ｚ１のバージョン及び属性情報アドレスがある。
【００３２】
試聴用アドレスとは、試聴用コンテンツＣ１Ａの置いてあるインターネット上のアドレスであり、クライアント端末８はこの試聴用アドレスから試聴用コンテンツＣ１Ａをダウンロードし、ストリーミング再生等を行うことにより、ユーザに対してコンテンツＣ１の一部である試聴用コンテンツＣ１Ａを聴取させるようになされている。
【００３３】
試聴可能範囲とは、コンテンツＣ１の一部を試聴する場合の開始時点と終了時点とが決められた時間的範囲であり、たとえば楽曲のサビ部分に相当するものでユーザに対してコンテンツＣ１に対する興味を湧かせるようになされている。
【００３４】
この試聴可能範囲は、クライアント端末８がインターネットに接続不可能な環境下でレコード会社２におけるサーバ３の試聴用コンテンツＣ１Ａにアクセスできないとき、クライアント端末８と他のクライアント端末との間で互いにアドホック接続されている状態でコンテンツの一部を試聴できるようにするためのものである。
【００３５】
すなわち、クライアント端末８が正規にレコード会社２から購入したコンテンツＣ１をハードディスクドライブ４４に保存している場合、アドホック接続された他のクライアント端末へコンテンツＣ１の試聴可能範囲に相当する部分だけを試聴用データとして送信することができるのである。
【００３６】
この場合、他のクライアント端末にとっては、レコード会社２のサーバ３にアクセスして試聴しているのかクライアント端末８にアクセスして試聴しているのか意識することなく、インターネット接続環境下ではないときであってもコンテンツＣ１を所有しているクライアント端末８と接続可能であれば試聴し得るようになされている。
【００３７】
著作権情報とは、コンテンツＣ１の正当性を確かめるための鍵情報である。すなわち、上述の試聴可能範囲の情報を用いてクライアント端末８と他のクライアント端末との間で試聴を行う場合に、不正に入手したコンテンツＣ１を使用することができてしまうと、全く違う楽曲データのコンテンツを試聴させることも可能になる。
【００３８】
これはレコード会社２の意図とは異なる状態であるため、他のクライアント端末に対して試聴させるためのコンテンツＣ１としてはレコード会社２から正規の手段で購入し、中身の改変等も行われていないことが保証されていなければならない。
【００３９】
そこでクライアント端末８が試聴用に試聴可能範囲に相当するコンテンツＣ１の一部を他のクライアント端末９へ送信する場合に、この著作権情報を用いて照合することによりコンテンツＣ１の正当性を確認するようになされている。
【００４０】
バージョンとは、属性情報Ｚ１のバージョンである。属性情報Ｚ１は、クライアント端末８に保存可能であって、勝手にコピーされることによりコンテンツＣ１を広く知らしめて広告的機能を発揮することを目的としている。
【００４１】
しかしながら、ときには属性情報Ｚ１に間違いが見つかることも有り得るため、当該属性情報Ｃ１の提供者がそれを修正するための手段が必要であり、そのため属性情報Ｚ１にバージョン番号を与え、クライアント端末８側で新しい情報であるか古い情報であるかを確認し得るようになされている。
【００４２】
属性情報アドレスとは、属性情報Ｚ１の発信元となるインターネット上のサーバのアドレスである。この属性情報Ｚ１は、クライアント端末８から他のクライアント端末へ勝手にコピーされるものであるが、属性情報Ｚ１の作成者が配布を行っているアドレスのサイトから取得することが一番確かである。
【００４３】
特に、属性情報Ｚ１が更新されて新しいバージョンのものが作成されているかどうかをチェックするために、クライアント端末８は属性情報アドレスにアクセスし、バージョン番号を比較することにより属性情報Ｚ１が最新のものであるか否かを判別し、最新のものでないときには最新の属性情報Ｚ１をダウンロードして更新するようになされている。なお、バージョン番号の確認をどのタイミングで行うかについては任意である。
【００４４】
ところで情報画面Ｇ１（図１）におけるコメントＭ１、画像Ｖ１、属性情報Ｚ１などの各要素は、次の情報画面（図示せず）へのリンクを張ることが可能であり、それを呼び出す機能を有している。これによりクライアント端末８では、コメントＭ１、画像Ｖ１、属性情報Ｚ１などの各要素がクリックされると予め設定された次の情報画面へジャンプするようになされている。
【００４５】
ところでクライアント端末８は、ハードディスクドライブ４４に情報画面Ｇ１の属性情報Ｚ１に対応するコンテンツＣ１が既に格納されている場合、その全てを再生することが可能であるものの、格納されていない場合には無線ＬＡＮアクセスポイント４を介してレコード会社２のサーバ３にアクセスし、属性情報Ｚ１に対応する試聴用コンテンツＣ１Ａ等をストリーミング再生するようになされている。
【００４６】
因みにクライアント端末８は、属性情報Ｚ１に対応するコンテンツＣ１が格納されているか否かを判別する際には、著作権情報（図４）を用いて照合することによりコンテンツＣ１の正当性を検証するようになされている。
【００４７】
（４）ユーザによる属性情報の取り扱い
コンテンツ紹介情報取得システム１（図１）では、クライアント端末８が紙媒体５の２次元コードＫＤを撮像することにより復元した情報画面Ｇ１をＬＣＤ８Ａに表示することにより、レコード会社２がお勧めするコンテンツＣ１の属性情報Ｚ１をユーザに提示することができる。
【００４８】
これによりクライアント端末８では、ユーザが情報画面Ｇ１の属性情報Ｚ１に興味を持ったときは、例えば属性情報Ｚ１がユーザにより選択されることにより、無線ＬＡＮアクセスポイント４経由でレコード会社２のサーバ３から当該属性情報Ｚ１に対応する試聴用コンテンツＣ１Ａを受信してストリーミング再生し得るようになされている。
【００４９】
ユーザは、こうして気に入った楽曲の例えばコンテンツＣ１が見つかった場合、ＣＤショップに行ってコンテンツＣ１の収録されているＣＤを購入することもできるし、或いは無線ＬＡＮアクセスポイント４経由でレコード会社２のサーバ３にアクセスし、属性情報Ｚ１に対応したコンテンツＣ１をダウンロードすることにより購入することもできるようになされている。
【００５０】
このようにクライアント端末８がレコード会社２のサーバ３との間で、属性情報取得プログラムに基づき２次元コードＫＤからコンテンツＣ１を取得するまでのコンテンツ取得処理シーケンスについて図５のシーケンスチャートを用いて説明する。
【００５１】
ステップＳＰ１においてクライアント端末８は、紙媒体５に印字された２次元コードＫＤをＣＣＤカメラ４７によって撮像し、次のステップＳＰ２へ移る。ステップＳＰ２においてクライアント端末８は、ＣＣＤカメラ４７で撮像した２次元コードＫＤに基づいて元の情報画面Ｇ１を復元し、これをＬＣＤ８Ａに表示した後、次のステップＳＰ３へ移る。
【００５２】
ステップＳＰ３においてクライアント端末８は、ＬＣＤ８Ａに表示した情報画面Ｇ１のうち属性情報Ｚ１に相当する部分がユーザによって選択されたか否かを判定し、選択された場合には肯定結果を得て次のステップＳＰ４へ移るのに対し、選択されていない場合には否定結果を得てステップＳＰ３に戻り、属性情報Ｚ１が選択されるまで待ち受ける。
【００５３】
ステップＳＰ４においてクライアント端末８は、属性情報Ｚ１が選択されたことを認識したので、当該属性情報Ｚ１に基づいて試聴用コンテンツＣ１Ａの取得要求を無線ＬＡＮアクセスポイント４経由でレコード会社２のサーバ３へ行い、次のステップＳＰ５へ移る。
【００５４】
このときステップＳＰ１１においてレコード会社２のサーバ３は、クライアント端末８から要求された属性情報Ｚ１に対応する試聴用コンテンツＣ１Ａをハードディスクドライブ２４から読み出し、当該試聴用コンテンツＣ１Ａを無線ＬＡＮアクセスポイント４経由で当該クライアント端末８へ無線送信し、次のステップＳＰ１２へ移る。
【００５５】
ステップＳＰ５においてクライアント端末８は、レコード会社２のサーバ３から試聴用コンテンツＣ１Ａを受信し、それをストリーミング再生することによりユーザに試聴させ、次のステップＳＰ６へ移る。
【００５６】
ステップＳＰ６においてクライアント端末８は、試聴用コンテンツＣ１Ａを試聴したユーザが気に入り、その属性情報Ｚ１に対応するコンテンツＣ１の取得要求命令を認識すると、当該コンテンツＣ１のダウンロードをレコード会社２のサーバ３に要求し、次のステップＳＰ７へ移る
【００５７】
このときステップＳＰ１２においてレコード会社２のサーバ３は、ダウンロード要求のあったコンテンツＣ１をハードディスクドライブ２４から読み出し、当該コンテンツＣ１を無線ＬＡＮアクセスポイント４経由で当該クライアント端末８へ無線送信する。
【００５８】
これによりステップＳＰ７においてクライアント端末８は、レコード会社２のサーバ３から受信したコンテンツＣ１を取得してハードディスクドライブ４４に保存することにより、２次元コードに基づくコンテンツ取得処理シーケンスの説明を終了する。
【００５９】
このようにコンテンツ紹介情報取得システム１では、クライアント端末８により紙媒体５に印字された２次元コードＫＤを撮像して情報画面Ｇ１を復元することにより、当該情報画面Ｇ１を介してコンテンツＣ１に関する属性情報Ｚ１を取得することができ、その属性情報Ｚ１に基づいてレコード会社２のサーバ３へアクセスすることにより、当該クライアント端末８を介して試聴用コンテンツＣ１Ａをユーザに試聴させることができる。
【００６０】
従ってユーザは、試聴用コンテンツＣ１Ａを試聴しただけで気に入ったときには、レコード会社２のサーバ３から無線ＬＡＮアクセスポイント４を経由してコンテンツＣ１をダウンロードすることにより取得し、或いはインターネットを経由してコンテンツＣ１をダウンロードすることにより取得し得るようになされている。
【００６１】
（５）動作及び効果
以上の構成において、コンテンツ紹介情報取得システム１では、紙媒体５に印字された２次元コードＫＤをクライアント端末８を介して取得し、当該２次元コードＫＤを解析することにより復元した情報画面Ｇ１の属性情報Ｚ１に基づいてレコード会社２のサーバ３にアクセスすることにより、当該属性情報Ｚ１に対応した試聴用コンテンツＣ１Ａをクライアント端末８でストリーミング再生することができる。
【００６２】
従ってコンテンツ紹介情報取得システム１では、クライアント端末８が属性情報Ｚ１に基づいて当該コンテンツＣ１の詳細をユーザに提供することができると共に、当該属性情報Ｚ１に基づいてレコード会社２のサーバ３から試聴用コンテンツＣ１Ａを直接取得してストリーミング再生することができるので、雑誌等の紙媒体５の紙面を通じてコンテンツＣ１を紹介するだけの従来の方法と比較して、試聴用コンテンツＣ１Ａを通じてコンテンツＣ１の特徴をユーザに正確かつダイレクトに伝達することができる。
【００６３】
またコンテンツ紹介情報取得システム１では、ユーザがクライアント端末８のＣＣＤカメラ４７によって２次元コードＫＤを撮像し、その結果ＬＣＤ８Ａに表示された情報画面Ｇ１の属性情報Ｚ１をクリックするといった２回の操作だけで試聴用コンテンツＣ１Ａを試聴することができるので、サイトにアクセスするための入力操作やそのサイトに表示された複数のコンテンツＣｎの中から所望のコンテンツＣ１を選択するといった煩雑な操作なしに、短時間かつ簡易な操作で試聴用コンテンツＣ１Ａを試聴することができる。
【００６４】
かくしてコンテンツ紹介情報取得システム１では、紙媒体５に印字された２次元コードＫＤを介してクライアント端末８に情報画面Ｇ１を簡単に取得させるようにしたことにより、ユーザに対して新しいコンテンツＣ１と出会う機会を確実に増やすことができ、当該コンテンツＣ１の販売機会を増加することができる。
【００６５】
以上の構成によれば、コンテンツ紹介情報取得システム１では、紙媒体５に印字された２次元コードＫＤをクライアント端末８により取得させ、当該２次元コードＫＤを基に復元した情報画面Ｇ１の属性情報Ｚ１に基づいてレコード会社２のサーバ３にアクセスさせ、当該属性情報Ｚ１に対応した試聴用コンテンツＣ１Ａをクライアント端末８を介してストリーミング再生することにより、コンテンツＣ１に関する属性情報Ｚ１をユーザに対して確実に供給し、その属性情報Ｚ１を基に当該コンテンツＣ１を確実に取得させることができるので、ユーザに対してコンテンツＣ１との出会いの機会を増やし当該コンテンツＣ１の販売に繋げることができる。
【００６６】
（６）他の実施の形態
なお上述の実施の形態においては、新聞や雑誌等の紙媒体５に２次元コードＫＤが印字されているようにした場合について述べたが、本発明はこれに限らず、フィルムや樹脂或いはプラスチック等の２次元コードが印字可能な媒体であれば種類は問わない。
【００６７】
また上述の実施の形態においては、クライアント端末８が２次元コードＫＤを復元することにより得られた情報画面Ｇ１の属性情報Ｚ１に基づいてレコード会社２のサーバ３にアクセスして試聴用コンテンツＣ１Ａを取得するようにした場合について述べたが、本発明はこれに限らず、情報画面Ｇ１の中には属性情報Ｚ１に加えて試聴用コンテンツＣ１Ａの試聴用ファイル又はコンテンツＣ１の楽曲ファイルを含めておき、レコード会社２のサーバ３にアクセスすることなく当該試聴用コンテンツＣ１Ａ又はコンテンツＣ１を直接再生できるようにしても良い。
【００６８】
さらに上述の実施の形態においては、クライアント端末８のＣＰＵ４１が属性情報取得プログラムに従ってルーチンＲＴ１におけるコンテンツ取得処理シーケンスを実行するようにした場合について述べたが、本発明はこれに限らず、当該属性情報取得プログラムが格納されたＣＤ−ＲＯＭ(Compact Disc-Read Only Memory)、ＤＶＤ−ＲＯＭ(Digital Versatile Disc-Read Only Memory)、半導体メモリ等の種々の記憶媒体を介してクライアント端末８に当該属性情報取得プログラムをインストールして上述のコンテンツ取得処理シーケンスを実行するようにしても良い。
【００６９】
さらに上述の実施の形態においては、読取手段としてＣＣＤカメラ４７を用いるようにした場合について述べたが、本発明はこれに限らず、２次元コードＫＤがバーコードであれば、それを読み取ることが可能なバーコードリーダを用いても良く、要は２次元コードＫＤを読み取ることが可能な種々の読取手段を用いることができる。
【００７０】
さらに上述の実施の形態においては、クライアント端末８が取得するコンテンツとして楽曲データでなるコンテンツＣ１を対象とするようにした場合について述べたが、本発明はこれに限らず、図６に示すようにレコード会社２のサーバ３が提供する情報画面Ｇ１の属性情報Ｚ１に対応する楽曲データでなるコンテンツＣ１以外にも映画会社１１１のサーバ１１２が提供する情報画面Ｇ１１１の属性情報Ｚ９１に対応する映画データでなる動画コンテンツ、出版社１１３が提供する情報画面Ｇ１１２の属性情報Ｚ９２に対応する電子書籍等でなるコンテンツを対象とするようにしても良い。
【００７１】
さらに上述の実施の形態においては、ＣＣＤカメラ４７で撮像した２次元コードＫＤに基づいて元の情報画面Ｇ１を復元するようにした場合について述べたが、本発明はこれに限らず、当該２次元コードＫＤに基づいて情報画面Ｇ１を取得するためのインターネットアドレスを復元し、そのインターネットアドレスに対して空の情報画面を送信することにより情報画面Ｇ１を取得するようにしても良い。
【００７２】
また上述の実施の形態においては、レコード会社２のサーバ３とクライアント端末８とを無線ＬＡＮアクセスポイント４を介して無線通信により接続するようにした場合について述べたが、本発明はこれに限らず、有線通信により接続するようにしても良い。
【００７３】
さらに上述の実施の形態においては、クライアント端末８としてノートブック型パーソナルコンピュータを用いるようにした場合について述べたが、本発明はこれに限らず、ＰＤＡ(Personal Digital Assistant)、携帯電話機、携帯型ゲーム装置等の通信機能を持ったその他種々のクライアント端末を用いるようにしても良い。
【００７４】
さらに上述の実施の形態においては、媒体としての紙媒体５、読取手段としてのＣＣＤカメラ４７、記憶手段としてのＲＡＭ４３又はハードディスクドライブ４４により本発明の情報処理装置としてのクライアント端末８を構成するようにした場合について述べたが、本発明はこれに限らず、その他種々の媒体、読取手段及び記憶手段によって情報処理装置を構成するようにしても良い。
【産業上の利用可能性】
【００７５】
本発明の情報処理装置、情報処理装置の属性情報取得方法及び属性情報取得プログラムは、例えば所定の２次元コードからコンテンツの属性情報を取得させることにより、ユーザに対してコンテンツと出会う機会を増やす種々のシステムに適用することができる。
【図面の簡単な説明】
【００７６】
【図１】コンテンツ紹介情報取得システムの全体構成を示す略線図である。
【図２】レコード会社におけるサーバの回路構成を示す略線的ブロック図である。
【図３】クライアント端末の回路構成を示す略線的ブロック図である。
【図４】属性情報の構成要素を示す略線図である。
【図５】２次元コードに基づくコンテンツ取得処理シーケンスの説明に供するシーケンスチャートである。
【図６】他の実施の形態におけるコンテンツの対象を示す略線図である。
【符号の説明】
【００７７】
１……コンテンツ紹介情報配信システム、２……レコード会社、３……サーバ、４……無線ＬＡＮアクセスポイント、８……クライアント端末、２１、４１……ＣＰＵ、２２、４２……ＲＯＭ、２３、４３……ＲＡＭ、２４、４４……ハードディスクドライブ、２５、２６……ネットワークインタフェース、４５……無線通信インタフェース。
【図１】
2007034696.tif 000003
【図２】
2007034696.tif 000004
【図３】
2007034696.tif 000005
【図４】
2007034696.tif 000006
【図５】
2007034696.tif 000007
【図６】
2007034696.tif 000008